(57)【要約】  システムは、衣類およびセンサモジュールを含む。衣類は、束縛特徴を含む。衣類は、身体上の第一の箇所を巻くように構成される。束縛特徴は、衣類との固定整列線内に位置づけられる。センサモジュールは、センサハウジングを含みかつ電気ノードを持つセンサを含む。センサは、ノードに電気出力を提供するように構成される。ハウジングは補足的特徴を持つ。補足的特徴は、束縛特徴との間で結合および分離するように構成される。電気出力は、身体と関連付けられる生理学的パラメータの測定に基づき、かつ、束縛特徴に対応する部位情報に基づく。【選択図】図８
2017529133.tif 000002
【特許請求の範囲】
【請求項１】
システムであって、
身体上の第一の箇所を巻くように構成され、衣類との固定整列線内に位置づけられる束縛特徴を含む衣類と、
前記束縛特徴との間で結合および分離するように構成される補足的特徴を持つセンサハウジングを含み、かつ、前記身体と関連付けられる生理学的パラメータの測定に基づきかつ前記束縛特徴に対応する部位情報に基づく電気出力をノードに提供するように構成され、電気ノードを有する光学センサを含むセンサモジュールと、
を含む、
システム。
【請求項２】
請求項１に記載のシステムであって、前記衣類は、非弾性の部材を含む、
システム。
【請求項３】
請求項１に記載のシステムであって、前記束縛特徴は、弾性クリップを含む、
システム。
【請求項４】
請求項１に記載のシステムであって、前記束縛特徴は、操作可能ドアを含む、
システム。
【請求項５】
請求項１に記載のシステムであって、前記束縛特徴は、留め金、ピン、磁石、面ファスナー、ジッパー、圧入、スナップ式またはクイックリリースファスナーのうちの少なくとも１つを含む、
システム。
【請求項６】
請求項１に記載のシステムであって、前記束縛特徴は、トルク制限ファスナーを含む、
システム。
【請求項７】
請求項１に記載のシステムであって、前記束縛特徴は、前記衣類との関係において前記センサモジュールの位置を選択するように構成されるユーザ操作可能制御を含む、
システム。
【請求項８】
請求項７に記載のシステムであって、前記ユーザ操作可能制御は、トルク制限要素を含む、
システム。
【請求項９】
請求項１に記載のシステムであって、前記センサモジュールは、前記センサに電力を無線で伝達するように構成され、前記センサに結合される誘導子を含む、
システム。
【請求項１０】
装置であって、
センサ表面にて検知される生理学的パラメータに対応する電気出力をノードに提供するように構成される光学センサを含むセンサモジュールと、
膜との固定整列線内に前記センサモジュールを保持するように構成される束縛特徴および膜との固定整列線内に前記センサモジュールを保持するように構成されかつ前記束縛特徴との間で結合および分離するように構成される補足的特徴を持つセンサモジュールを持つ膜であって、組織表面と整合するように構成される接触側、および反対側を有する膜、
を含む、
装置。
【請求項１１】
請求項１０に記載の装置であって、前記束縛特徴は、弾性要素を含む、
装置。
【請求項１２】
請求項１０に記載の装置であって、前記束縛特徴は、ユーザ操作可能クリップを含む、
装置。
【請求項１３】
請求項１０に記載の装置であって、前記膜は、接触側に第一のポートを持ち前記反対側に第二のポートを持つチャネルを含む、
装置。
【請求項１４】
請求項１３に記載の装置であって、前記チャネルは、接着剤溶剤を前記反対側から前記接触側に伝達するように構成される、
装置。
【請求項１５】
請求項１０に記載の装置であって、前記膜は、多孔性基材を含む、
装置。
【請求項１６】
請求項１０に記載の装置であって、前記接触側に流体的に結合されかつ前記膜に結合される溶剤容器をさらに含む、
装置。
【請求項１７】
請求項１６に記載の装置であって、前記容器と前記接触側との間に障壁をさらに含む、
装置。
【請求項１８】
請求項１７に記載の装置であって、前記障壁は、ユーザによって取り外し可能である、
装置。
【請求項１９】
請求項１０に記載の装置であって、前記膜は、拡張スロットを持つ、
装置。
【請求項２０】
請求項１０に記載の装置であって、前記膜は、前記膜の屈曲を可能とするように構成されるノッチを含む、
装置。
【請求項２１】
装置であって、
センサ表面にて検知される生理学的パラメータに対応する電気出力をノードに提供するように構成される光学センサを含むセンサモジュールと、
前記センサモジュールの通過を可能とするように構成される開口および前記開口と整列され固定壁を持ち前記センサモジュールを受けるように構成されるポケットを持つ膜であって、組織表面に整合するように構成され、接着剤コーティングを受けるように構成される接触側を持ちかつ反対側を持つ膜、
を含む、
装置。
【請求項２２】
請求項２１に記載の装置であって、前記膜は、複数の孔を含む、
装置。
【請求項２３】
請求項２２に記載の装置であって、前記孔は、前記接着剤コーティングのための溶剤を伝達するように構成される、
装置。
【請求項２４】
請求項２１に記載の装置であって、前記膜は、不織布材料を含む、
装置。
【請求項２５】
請求項２１に記載の装置であって、前記膜は、発泡体、エラストマーまたは布地のうちの少なくとも１つを含む、
装置。
【請求項２６】
請求項２１に記載の装置であって、前記反対側と前記ポケットとの間に少なくとも１つの支持リブをさらに含む、
装置。
【請求項２７】
製造方法であって、
電子モジュールを光学モジュールに電気的に、可撓性伝導体を含むように、結合すること、
前記光学モジュールと前記電子モジュールとの間にフィラー部材を位置づけること、
付着機構と前記フィラー部材は、前記光学モジュールの前記感知表面にて圧縮力を加えるように構成され、前記付着機構の接触表面に、前記光学モジュールの感知表面を整列させること、
を含む、
方法。
【請求項２８】
請求項２７に記載の方法であって、
電気的な結合は、前記フィラー部材を通して前記可撓性伝導体をルーティングすることを含む、
方法。
【請求項２９】
請求項２７に記載の方法であって、
衣類に前記付着付着機構をはることをさらに含む、
方法。
【請求項３０】
請求項２７に記載の方法であって、
前記フィラー部材を位置づけすることは、発泡体スペーサを位置づけすることを含む、
方法。
【発明の詳細な説明】
【技術分野】
【０００１】
＜優先権の主張＞
この出願は、２０１４年８月１５日に出願された米国特許仮出願シリアル番号６２／０３７，９４８の優先権の利益を主張し、また、この出願は、２０１４年９月２９日に出願された米国特許仮出願シリアル番号６２／０５７，０６５の優先権を主張し、これら出願の両方はその全体が参照によってここに組み込まれる。
【０００２】
例えば生体センサといったセンサは、患者に関連付けられる生物学的なパラメータを測定するために使用される。多くのセンサは、センサに含まれる接着剤またはストラップを用いて患者にはられる。したがって、そのようなセンサは、以前の付着の箇所に再付着される能力を持たない。多くのセンサは、電源または信号収集装置への有線の接続を含む。
【背景技術】
【０００３】
いくつかの例において、センサは、センサを取り外す間に患者に痛みまたは負傷をもたらし得る接着剤を用いて患者にはられる。センサをはるいくつかの手段は、永続的なものであり得、または、患者にセンサ装置の一部を残し得る。
【発明の概要】
【０００４】
本願の発明者は、患者の身体にセンサを取り外し可能に付着させる課題は、患者によって着用される衣類に束縛特徴を含むことによって解決され得ることをとりわけ認識している。束縛特徴は、センサモジュールに含まれる補足的特徴との間での結合および分離を可能とする。束縛特徴と補足的特徴との任意の組み合わせは、使い捨ての装置または使い捨てではない装置にて提供されることが可能である。
【０００５】
例えば、シャツ、アームバンド、ヘッドバンド、その他といった衣類は、束縛特徴を含むことが可能である。束縛特徴は、留め金、ピン、磁石、面ファスナー、ジッパー、圧入、スナップ式、クイックリリースファスナー、その他を、これらに限定されることなく、含むことが可能である。センサ、センサハウジングおよび電気ノードを含むセンサモジュールは、衣類の束縛特徴に結合する補足的特徴を含むことが可能である。束縛特徴および補足的特徴は、ユーザによって結合および分離されることが可能である。
【０００６】
センサ位置が部位（患者の身体上の箇所）に正確に維持されるようにセンサを分離し再結合する課題は、患者の身体上の箇所に位置づけされるように構成される束縛特徴を衣類に含むことおよび／または患者の身体上の箇所に位置づけされるように構成されるセンサ形状によって、解決されることが可能である。例えば、胸部ストラップは、胸部の箇所にて患者を巻くように構成されることが可能である。感知装置の箇所は、箇所に沿って位置づけされる部位を含むことが可能である。部位は、身体上のより小さく、より具体的な位置である。束縛特徴は、例えば患者の鎖骨上に整列されているといったように、部位との固定整列線内にあることが可能である。一つの例において、衣類は患者の身体上の箇所を維持するように構成され、束縛特徴は、衣類との固定整列線内にある。したがって、センサモジュールは、束縛特徴に対応する部位にて衣類に結合されることが可能である。センサモジュールが衣類から取り外されることが可能であるように、補足的特徴は束縛特徴から分離されることが可能であり、衣類箇所は患者上で維持されることが可能である。例えば衣類の束縛特徴にセンサモジュールの補足的特徴を結合するようなことによって、センサモジュールは衣類に再結合されることが可能である。束縛は依然として部位との固定関係にあり、再付着されたセンサモジュールは、生理学的パラメータのさらなる測定のために部位に位置づけされることが可能である。
【０００７】
センサから正確なデータを収集するという課題は、束縛特徴に対応する情報に基づく電気出力を提供するセンサによって解決されることが可能である。一つの例において、センサモジュールの出力は束縛特徴に対応する部位情報に基づき得る。例えば、センサモジュールは、束縛特徴の（例えば右上腕二頭筋といった）部位を（例えばＲＦＩＤチップの信号を読み込むことまたは他の識別方法によって）検出することが可能である。センサは、身体上の複数の箇所に置かれることが可能である。センサの出力は、センサの部位と関連付けられる身体の生理学的パラメータによって影響され得る。センサは、束縛特徴に対応する部位情報と関連付けられる生理学的パラメータに基づく情報を含むように構成されることが可能である。換言すれば、センサの出力は、センサモジュールが結合されている束縛特徴の部位に依存して調整されることが可能である。
【０００８】
有線接続なしにセンサを充電する課題は、センサモジュールが有線接続なしに充電されることが可能であるように誘導コイルをセンサモジュール内に含むことによって解決されることが可能である。
【０００９】
身体との間でのセンサモジュールの結合および分離の課題は、膜上に束縛特徴を含むことによって解決されることが可能である。膜は、接触側および反対側を含む。接触側は、組織表面と整合するように構成される。一つの例では、接触表面は、センサモジュールを身体に結合するための接着剤を含むことが可能である。センサモジュールの補足的特徴は、膜の束縛特徴との間で結合および分離されることが可能である。例えば、膜は身体に結合されたままでいることが可能であり、センサモジュールは（例えば充電、清掃、その他のために）膜から分離されることが可能である。束縛特徴の例は、ユーザ操作可能なクリップ、留め金、ピン、磁石、面ファスナー、ジッパー、圧入、スナップ式、クイックリリースファスナー、その他を含む。束縛特徴は、センサモジュールを膜に保持するように構成されることが可能である。一つの例では、膜は開口およびポケットを含む。開口は、ポケットと整列されることが可能であり、センサモジュールを受けるように構成される。ポケットは、固定壁を含むことが可能であり、開口は、センサモジュールの通過を可能とするように構成されることが可能である。
【００１０】
接着剤で身体に結合されたセンサを、患者に痛みをもたらすことまたは患者を負傷させることなく取り外すという課題は、接触側に第一のポートを持ちかつ反対側に第二のポートを持つチャネルを含む膜によって解決されることが可能である。例えば、膜は、多孔性基材を含むことが可能である。チャネルは、反対側から接触側に接着剤溶剤を伝達するまたは広めるように構成される。溶剤は、患者の身体から感知装置を分離するために動作可能であることが可能である。一つの実施例において、膜は溶剤容器を含むことが可能である。溶剤容器は、接着剤溶剤を含むことが可能である。膜の接触側に置かれた接着剤は、取り外し可能な障壁によって溶剤から隔離されることが可能である。ユーザは、接着剤に溶剤を適用するために取り外し可能な障壁を再位置づけすることが可能である。一つの実施例において、膜は、膜が組織表面に整合するために撓むことを可能とするように構成されるノッチまたは拡張スロットを含むことが可能である。
【００１１】
１つの実施例は、表面から突起し組織部位に圧力を加える光学要素を含む。１つの実施例は、周辺のまたはケーブルを介した光子を低減させる（または最小化する）光吸収材料を含む。１つの実施例は、（フィルターと呼ばれる場合もある）発泡体支持材料を含む。
【００１２】
この概要は、本特許出願の主題の概要を提供することを意図している。発明の排他的なまたは完全な説明を提供することは意図されていない。詳細な説明は、本特許出願についての更なる情報を提供するために含まれる。
【図面の簡単な説明】
【００１３】
必ずしも一定の縮尺ではない図面において、同様の参照番号は異なる図で同様の構成要素を記載し得る。異なる添字を持つ同様の参照番号は、同様の構成要素の異なる例を表し得る。図面は、本書類にて記載される種々の実施形態を、例示として、しかし限定することなく、一般に示す。
【００１４】
【図１】身体に結合される複数の感知装置を有する身体の一例を示す。
【図２】束縛特徴および束縛特徴との間で結合および分離するように構成される補足的特徴を含むセンサモジュールを含む衣類の一例の斜視図を示す。
【図３】束縛特徴を有するドックを含む感知装置およびセンサモジュールを衣類に固定するための補足的特徴を有する弾性クリップ一例の斜視図を示す。
【図４】トルク制限ファスナーを含む感知装置の一例の斜視図を示す。
【図５】誘導子を含むセンサモジュールの一例の斜視図を示す。
【図６】束縛特徴および、補足的特徴を含むセンサモジュールを含む膜の一例の斜視図を示す。
【図７】センサモジュールを受けるように構成される固定壁を有するポケットを含む膜の一例の斜視図を示す。
【図８】ユーザ操作可能クリップを含む膜の一例の斜視図を示す。
【図９】膜の接触側に第一のポートを有しかつ反対側に第二のポートを持つ複数のチャネルを含む膜の一例の斜視図を示す。
【図１０】溶剤容器および取り外し可能な障壁を含む膜の横断面を示す。
【図１１】感知装置を含む方法の一例のフローチャートを示す。
【図１２】センサモジュールの斜視図を示す。
【図１３】センサモジュールに含まれる光学フィルターの一例の概略図を示す。
【図１４】一例に従う、フィラーを持つ装置の断面図を示す。
【発明を実施するための形態】
【００１５】
ここに記載されるのは、例えば生体感知装置といった感知装置を使用する装置、システムおよび方法の種々の構成である。以下の実施例および図面は、以下の詳細な説明にて記載される主題を当業者が実施できるようにするために、本主題を説明する。いくつかの実施例の部分および特徴は、他の実施例のそれらに含まれ得、または、それらの代わりとなり得る。
【００１６】
血液酸素化は、患者の手指、足指または耳たぶに位置づけされるパルスオキシメトリセンサを使用して一般に測定される。パルスオキシメトリセンサは、バネ仕掛けのクリップを用いて適切な位置にて保たれる。
【００１７】
多数の合併症（ｃｏｍｐｌｉｃａｔｉｏｎ）が従来のクリップ付着式のパルスオキシメータによって連想される。例えば、クリップは、定例の活動を妨げる場合があり、傷みやすい。
【００１８】
本主題の実施例は、センサを特定の部位に位置づけるように構成され、かつ、センサモジュールに正圧を加えるように構成される。
【００１９】
本主題の実施例は身体装着センサを含む。一つの実施例によれば、身体装着センサは、付着モジュールを有する衣類を含む。付着モジュールは、センサモジュールを受け入れるように構成される。衣類、付着モジュールおよびセンサモジュールは、センサモジュールが測定部位にて組織と接触するようにしっかり保たれることを確実なものとするように構成される。一つの実施例において、これは、組織部位にてセンサに圧力を加える力を提供する弾性部材を持つ衣類を含む。別の実施例において、衣類は非弾性の部材を含み、付着モジュールは、圧力が適度にかけられることを確実なものとしかつかけられる圧力が過度ではないことを確実なものとするクラッチまたはスプリットジョイントを備える。
【００２０】
一つの実施例において、（ここに記載するような）衣類または膜は、組織部位にてセンサモジュールに圧力をかけるように構成される。一つの実施例において、（例えばベルトといった）衣類は、衣類の張力が圧力をかけることができるような方法で、付着モジュールに結合される。ベルトは、センサモジュールの感知表面から間隔を置いた箇所にて付着モジュールに結合されることが可能である。この方法で、ベルトへの張力が増加するにつれ、増加する圧力でセンサモジュールは組織部位に押される。別の実施例において、付着モジュールはパッド（または膜）に結合される。パッドは組織部位にて接着剤によって接触表面ではられる。付着モジュールは、パッドの接触表面下にセンサモジュールの感知表面を位置づけする方法でパッドに結合され、これによって組織部位にて適切な印加圧力が加えられる。
【００２１】
一つの実施例において、クリップおよび（束縛特徴および補足的特徴の文脈で記載される）他の機構は、付着モジュールのセンサモジュールを硬く動かないようにするように構成される。束縛特徴および補足的特徴は、センサモジュールおよび組織部位間で圧力がかけられることによって影響されることなくセンサモジュールを固定された位置に維持するように構成される。
【００２２】
本主題の一つの実施例は、センサモジュールと組織部位との間で、特定の範囲内の圧力を加えるように構成される。かけられる圧力が強すぎると、組織部位は、例えば圧迫壊死といった合併症のリスクにさらされる。かけられる圧力が不十分だと、センサモジュールからのデータは、有意でないことまたは不正確であることがあり得る。一つの実施例は、かけられる圧力の測定を提供するセンサモジュールの感知表面に取り付けれられたセンサを含む。一つの実施例は、ＡＣ信号成分の振幅またはその他のパラメータを測定しＡＣ信号成分を単数または複数の閾値と比較するように構成される。
【００２３】
センサモジュールに結合された表示装置は、予め決められた圧力の予め決められた圧力範囲に関連する測定圧力の示唆を提供することが可能である。表示装置は、例えば不十分な圧力に対応する黄色いライト、十分な圧力に対応する緑色のライトおよび、過剰な圧力に対応する赤色のライトといった、発光体を含むことが可能である。
【００２４】
図１は、身体に結合される複数の感知装置１００を有する身体の一例を示す。感知装置１００は、衣類１０２およびセンサモジュール１０４を含む。感知装置１００は、患者と関連付けられる生理学的パラメータをモニタするために、（例えば患者の身体１０６といった）身体１０６に結合されることが可能である。感知装置１００は、患者の箇所に位置づけられることが可能である。例えば、衣類１０２は、箇所にて身体１０６と結合されることが可能である。衣類１０２は、身体上の箇所を巻くことが可能である。
【００２５】
例えば衣類１０２といった衣類は、シャツ、ズボン（ｐａｎｔｓ）、ヘッドバンド、アームバンド、胸部ストラップ、レッグバンド、袖、ストラップ、接着剤パッチ、ブラジャー、その他といった品を、これらに限定されることなく、含むことが可能である。一つの実施例において、衣類１０２は患者と整合することが可能である。箇所は、腕、胴、胸、脚、頭、その他をこれらに限定されることなく含むことが可能である。一つの実施例において、衣類１０２は、身体１０６上の複数の箇所に結合するように構成されることが可能である。例えば、衣類１０２は、身体１０６に結合するための、例えば調整可能ファスナーを有するストラップまたはバンドといった、調整可能部材を持つように構成されることが可能である。調整可能部材の長さは、例えば調整可能部材の長さに沿って調整可能ファスナーを再位置づけすることといったことにより、身体１０６上の箇所に結合するためにユーザによって構成されることが可能である。一つの実施例において、衣類１０２は、例えば、帽子、袖、ブラジャー、ズボンのウエストバンド、ヘッドバンド、アームバンド、レッグバンド、その他といった、身体１０６上の特定の箇所用に構成されることが可能である。図１に示されるように、それぞれ胸、腕、および脚を含む複数の箇所にて身体１０６に結合される３つの感知装置１００がある。
【００２６】
衣類１０２は、摩擦によって身体１０６に結合されることが可能である。例えば、衣類１０２によって身体１０６にかけられる圧力からの摩擦である。一つの実施例において、身体１０６に対してきつくフィットする衣類１０２によって、圧力は身体１０６に加えられることが可能である。例えば、箇所を一周する（例えば、胸、腕、脚、または頭の外周といった）距離よりも小さいバンドを含む衣類である。
【００２７】
一つの実施例において、衣類１０２は非弾性の部材を含む。圧力は、箇所を一周する距離よりも小さくなるように衣類１０２の長さを調整することによって身体１０６に適用されることが可能である。一つの実施例において、衣類１０２は、例えば箇所を巻くといったように箇所の周囲で伸ばされることが可能な弾性材料を含むことが可能である。衣類の材料は、綿、ポリアミド、ポリエステル、他のポリマー、その他をこれらに限定されることなく含むことが可能である。材料は、ストラップ、バンド、織布、ウェビング、メリヤス生地、その他に形成されることが可能である。
【００２８】
図１は、鎖骨領域にありかつパッチ（または膜）を使用してはられたセンサモジュール１０４を有する装置１００を示す。当該図は、前腕領域にありかつ衣類１０２（ここでは、パッチまたは膜として示されている）を使用して付着された装置１００をも示す。
【００２９】
図２は、（例えば図２に示されるように２つの）束縛特徴２０２Ａおよび束縛特徴２０２Ａとの間で結合および分離するように構成される（例えば図２に示されるように２つの）補足的特徴２０４Ａを含むセンサモジュール１０４を含む衣類１０２の一つの例の斜視図を示す。センサモジュール１０４は、補足的特徴２０４Ａと束縛特徴２０２Ａを結合することによって、衣類１０２に付着されることが可能である。
【００３０】
センサモジュール１０４は、センサ、ハウジング、組織パッド、衣類パッド、フィルター、バッテリー、およびノード（そのうちのいくつかは図１２に示され、本書類に記載される）を含む。センサモジュール１０４は、ノードで電気出力を提供するように構成されることが可能である。電気出力は、ノード上の有線信号、無線信号、非一時的なコンピュータ読み取り可能メディア、その他を含むことが可能である。一つの実施例において、出力は、身体１０６と関連付けられる生理学的パラメータの測定を含む。生理学的パラメータは、心拍、血圧、温度、心電図信号、（例えばＳｐＯ２といった）酸素化、一酸化炭素ヘモグロビン、メトヘモグロビン、血糖、トータルヘモグロビン、ヘマトクリット値、その他を、これらに限定されることなく、含むことが可能である。一つの実施例において、センサは、フォトプレスチモグラム（ＰＰＧ）センサである。
【００３１】
ノードは、センサモジュール１０４に含まれる電気回路上の部分を含むことが可能である。例えば、ノードは、電気コネクタ、アンテナ、リード線、メモリモジュール、プロセッサ、その他を含むことが可能である。センサ１０４は、（例えば無線アンテナを使用して）ノードで電気出力を無線で送信することが可能である。一つの実施例において、センサモジュール１０４は、ノードで電気出力を生成するように構成される論理回路を含むことが可能である。電気出力は、身体１０６と関連付けられる生理学的パラメータの測定に基づくことが可能である。
【００３２】
一つの実施例において、センサモジュール１０４はプロセッサを含むことが可能である。プロセッサは、身体１０６と関連付けられる生理学的パラメータの測定に基づく出力を生成する命令を含むことが可能である。
【００３３】
一つの実施例において、電気出力は、身体と関連付けられる生理学的パラメータの測定を含み、出力は、束縛特徴２０２Ａに対応する部位情報に基づく。感知装置１００の箇所は、箇所にそって位置づけられる部位を含む。例えば、部位は、センサが生理学的パラメータを検出することが可能である箇所の小さな部分である。例えば、部位は、静脈または動脈上に位置づけられる身体１０６の部分を含むことが可能である。一つの実施例において、部位は、鎖骨に近い。
【００３４】
束縛特徴２０２Ａの位置は部位の位置に対応することが可能である。したがって、センサは、部位にて身体１０６の生体情報を測定することが可能である。一つの実施例において、センサは、例えば束縛特徴２０２Ａまたは衣類１０２に含まれる部位情報といった部位情報を検知することが可能である。一つの実施例において、センサモジュール１０４は、束縛特徴２０２Ａまたは衣類１０２に含まれる部位情報を読むこと、および、束縛特徴２０２Ａまたは衣類１０２に含まれる部位情報に電気出力を配置すること、が可能である。部位情報に電気出力を配置することは、部位箇所情報を送信すること、身体と関連付けられる生理学的パラメータの測定の変化（ｔｒａｎｓｆｏｒｍａｔｉｏｎ）を送信すること、生理学的パラメータを送信すること、校正係数を送信すること、校正係数の関数として生理学的パラメータを送信することを、これらに限定されることなく含むことが可能である。校正係数は、整数または関数の少なくとも一つを含むことが可能である。一つの実施例において、センサモジュール１０４の電気出力は、校正係数および生理学的パラメータの測定の、積、和、または関数に基づくことが可能である。
【００３５】
束縛特徴２０２Ａは、留め金、ピン、磁石、接着剤、クリップ、ポケット、面ファスナー、ジッパー、圧入、スナップ式、クイックリリースファスナー、その他を、これらに限定されることなく、含むことが可能である。一つの実施例において、束縛特徴２０２Ａは、センサモジュール１０４を衣類１０２に留める例えば可撓性保持器といった弾性クリップを含むことが可能である。弾性クリップは、（例えば衣類に縫い付けられるまたは接着剤を用いて結合されるといったように）衣類１０２に結合されること、および、例えばセンサモジュール１０４上のかみ合い特徴を用いて掛けるといったようにセンサモジュール１０４に結合されること、が可能である。一つの実施例において、衣類１０２はブラケットを含むことが可能である。ブラケットは、例えばブラケットに位置づけられる固定壁でセンサモジュール１０４を保つことといったことによって、センサモジュール１０４を保持することが可能である。弾性クリップは、ブラケットと弾性クリップとの間でセンサモジュール１０４を巻くために束縛特徴２０２Ａに結合し、それによってセンサモジュール１０４を衣類１０２に保持することが可能である。
【００３６】
束縛特徴２０２Ａは、部位との固定整列線内にあること、および、束縛特徴２０２Ａとの固定整列線にあること、が可能である。例えば、衣類１０２は、身体１０６上の箇所に位置を保つことが可能である。束縛特徴２０２Ａは、衣類１０２との固定整列線内にあることが可能である。図２に示されるように、束縛特徴２０２Ａは、衣類１０２との固定整列線内にある留め金を含む。束縛特徴２０２Ａは、ファスナーによって、衣類１０２との固定整列線内に保たれることが可能である。ファスナーは、釘、テープ、糸、接着剤、リベット、熱溶接、面ファスナー、圧入、ピン、磁石、その他の内の少なくとも一つをこれらに限定されることなく含むことが可能である。
【００３７】
センサモジュール１０４は、接着剤、インサート成形、圧入、磁石、ピン、リベット、ねじ、その他によって、センサモジュール１０４に結合される補足的特徴２０４Ａを含むことが可能である。補足的特徴２０４Ａは、例えば道具を使うことなしにといった具合に、２０２Ａとの間で結合および分離することが可能である。したがって、補足的特徴２０４Ａは、留め金、ピン、磁石、面ファスナー、ジッパー、圧入、スナップ式、クイックリリースファスナー、その他の内の少なくとも一つを、これらに限定されることなく、含むことが可能である。
【００３８】
束縛特徴２０２Ａの、衣類１０２との固定整列線によって、センサは身体の生理学的パラメータを測定するために部位にて位置づけられることが可能である。例えば、補足的特徴２０４Ａは束縛特徴２０２Ａとの固定整列線内にあることが可能であり、それによってセンサの位置を部位に固定する。センサモジュール１０４は、衣類１０２から分離されることが可能であり、衣類１０２は身体１０６上で適所にあり続けることが可能である。一つの実施例において、センサモジュール１０４の補足的特徴２０４Ａを衣類１０２の束縛特徴２０２Ａに結合することで、センサモジュール１０４は衣類１０２に再結合されることが可能である。衣類１０２が身体１０６上の箇所にて適所にあり続け、束縛特徴２０２Ａが衣類１０２との固定整列線内に位置づけられるため、センサモジュール１０４（およびセンサ）は部位と再整列されることが可能である。
【００３９】
図３は、衣類１０２との固定整列線内にあるドック３０２を含む感知装置１００およびセンサモジュール１０４を保持するためにドック３０２と拘束関係にある弾性クリップ３０４の一例の斜視図を示す。図示されるように、一つの実施例において、衣類１０２は、患者の身体１０６の前腕または手首に結合するためにリストバンドを含むことが可能である。リストバンドは、身体１０６を巻くことが可能である。一つの実施例において、衣類は、例えば二頭筋、大腿部またはふくらはぎといった身体の他の部分を囲むために相応しいバンドとして構成されることが可能である。図示の実施例において、ドック３０２は、「トップローディング（ｔｏｐ  ｌｏａｄｉｎｇ）」として記載されることが可能であり、衣類１０２は、患者の手または脚に結合するためのバンドを含むことが可能である。
【００４０】
ドック３０２は、センサモジュール１０４と拘束関係になるように構成される複数の拘束特徴３０６を含むことが可能である。拘束特徴３０６は、ドック３０２に付着され、衣類１０２に沿ったセンサモジュール１０４の動きを制約するために位置づけられる、リブ、壁、柄、ペグ、または、他の特徴を含むことが可能である。図示されるように、ドック３０２は束縛特徴２０２Ｂを含むことが可能である。束縛特徴２０２Ｂは、ラッチ、フック、または本書類で上記された任意の束縛特徴２０２Ａを含むことが可能である。上記されたように、束縛特徴２０２Ｂは、衣類１０２との固定整列線内にあることが可能である。
【００４１】
図３に示されるように、弾性クリップ３０４は１つまたはそれより多くの補足的特徴２０４Ｂを含むことが可能である。弾性クリップ３０４は、少なくとも１つの補足的特徴２０４Ｂを用いてドック３０２にセンサモジュール１０４を保持するように形成される材料のシートを含むことが可能である。クリップの材料は、鋼鉄、アルミニウム、ポリマー、織物、シートまたはその他をこれらに限定されることなく含むことが可能である。補足的特徴２０４Ｂは、弾性クリップ３０４の端部で含まれることが可能であり、束縛特徴２０２Ｂに結合するためのラッチング特徴を含むことが可能である。図３に示されるように、弾性クリップ３０４は、弾性クリップ３０４のそれぞれの端部に１つの補足的特徴２０４Ｂを含む。補足的特徴２０４Ｂは、束縛特徴２０２Ｂで結合されることが可能である。一つの実施例において、弾性クリップ３０４は、ドック３０２と弾性クリップ３０４との間でセンサモジュール１０４を保持するためにモールドまたは形成されることが可能である。一つの実施例において、補足的特徴２０４Ｂは、道具の使用なしに束縛特徴２０２Ｂから分離されることが可能である。一つの実施例において、弾性クリップ３０４は、形成された金属のバンドを含み、センサモジュール１０４を衣類１０２との固定関係に維持するために張力を加えるように構成される。弾性クリップ３０４は、張力バンドとして呼ばれることが可能であり、特徴２０２Ｂといった対応する特徴と拘束関係になるクリップを持ちうる。衣類１０２はストラップを含むことが可能である。
【００４２】
一つの実施例において、ドック３０２または保持特徴３０６は動作可能なドアを含むことが可能である。ドアの第一の端部はヒンジを用いてドック３０２に結合されることことが可能である。ドアは、第二の端部にてラッチを含むことが可能である。ラッチは、ドック３０２に結合しドアとドック３０２との間でセンサモジュール１０４を保持するように構成されることが可能である。
【００４３】
図４は、センサモジュール１０４の一例の斜視図を示す。センサモジュール１０４は、トルク制限ファスナー４０２といったユーザ操作可能制御で（この図には示されない）衣類１０２に結合されることが可能である。（例えば図２での２０２Ａ−Ｂといった）束縛特徴２０２はユーザ操作可能制御を含むことが可能である。ユーザ操作可能制御は、センサモジュール１０４を衣類１０２との関係において選択的に位置づけるように構成されることが可能である。一つの実施例において、ユーザ操作可能制御は、（トルク制限ファスナー４０２といった）トルク制限要素を含む。図４に示されるように、トルク制限ファスナー４０２は、ファスナーハウジング４０４、トーションばね４０６、およびノブ４０８を含むことが可能である。センサモジュール１０４は、ねじ棒４１０を含むことが可能である。（例えば束縛特徴２０２Ａ−Ｂといった）束縛特徴２０２は、ファスナーハウジング４０４が衣類１０２との固定関係にあるように、ファスナーハウジング４０４を含むことが可能である。一つの実施例において、ねじ棒４１０は、ユーザが衣類１０２との関係においてセンサモジュール１０４の位置を調整可能であるように、移動可能にファスナーハウジング４０４で結合されることが可能である。一つの実施例において、センサモジュール１０４は衣類１０２との関係において回転および平行移動することが可能である。例えば、センサモジュール１０４は、衣類１０２の表面と直角をなす方向にまたは身体１０６と直角をなす方向に、平行移動することが可能である。
【００４４】
一つの実施例において、（特徴２０２Ａといった）束縛特徴２０２に関する本書類での記載は、（例えば特徴２０４Ａといった）補足的特徴２０４にも該当する。
【００４５】
センサモジュール１０４の位置は、アクチュエータノブ４０８を用いてユーザによって調整されることが可能である。ねじ棒４１０のねじ山は、ファスナーハウジング４０４上で補足的ねじ山と拘束関係になることが可能である。アクチュエータノブ４０８は、トーションばね４０６を用いてねじ棒４１０に結合されることが可能である。例えば、アクチュエータノブ４０８の回転がねじ棒４１０をファスナーハウジング４０４との関係において回転させるように、トーションばね４０６はアクチュエータノブ４０８に結合されること、および、ねじ棒４１０に取り外し可能に結合されることがこと、が可能である。ねじ棒４１０上のねじ山の、ファスナーハウジング４０４のねじ山との関係における、回転は、衣類１０２との関係におけるセンサモジュール１０４の平行移動および回転を引き起こす。
【００４６】
図４に示されるように、トーションばね４０６は、第一の脚４１２をトーションばね４０６のコイルの中心にて含み、第二の脚４１４をコイルの周辺に沿って含む。第一の脚４１２はアクチュエータノブ４０８と拘束関係になる。一つの実施例において、第二の脚４１４はファスナーハウジング４０４におけるポート４１６と拘束関係になる。トーションばね４０６のコイルは、アクチュエータノブ４０８が回転され、ねじ棒４１０にトルクがかけられるとき、直径において縮小する。コルクの直径における縮小はアクチュエータノブ４０８にかけられるトルクに比例する。例えばアクチュエータノブ４０８に十分なトルクがかけられ第二の脚４１４がポート４１６との拘束関係から離脱する程度にコイル直径を縮小するようなとき、第二の脚４１４はファスナーハウジング４０４のポート４１６との拘束関係から離脱することが可能である。換言すれば、トーションばね４０６の張力は、ポート４１６から第二の脚４１４を引っ張る。１つの実施例は、ポート４１６からの第二の脚４１４の拘束関係からの離脱を含む。
【００４７】
ユーザ操作可能制御は、ユーザがセンサモジュール１０４を衣類１０２との関係において位置づけることを可能とする。一つの実施例において、（例えばトルク制限ファスナー４０２といった）ユーザ操作可能制御は、センサモジュール１０４と身体１０６の組織との間で特定の圧力をかけるために使用されることが可能である。例えば、アクチュエータノブ４０８の回転は、センサモジュール１０４を衣類１０２との関係において身体１０６に向かって平行移動させる。これによって、衣類１０２によってセンサモジュール１０４にかけられる圧力が上昇することが可能となる。換言すれば、ユーザ操作可能制御は、（例えば衣類１０２を締めるといったように）衣類１０２上の張力を上昇させるように衣類１０２を調整することが可能である。
【００４８】
衣類１０２上の張力の上昇は、アクチュエータノブ４０８へのトルクを上昇させ、これがバネ４０６のコイル直径を縮小させる。衣類の張力が、望まれる最大量である場合、コイルサイズは、第二の脚４１４をポート４１６との拘束関係から離脱させるのに十分な程度に小さくなる。ポート４１６との拘束関係からの第二の脚４１４のこの離脱によって、アクチュエータノブは、追加の張力を衣類１０２にかけなくても回転することが可能となる。
【００４９】
一つの実施例において、センサモジュール１０４は、身体１０６に圧力をかけるような方法で位置づけられる。かけられる圧力が不十分だと、センサからのＡＣ信号成分は、酸素化といった生理学的パラメータを正確に決定するのに不適切になる得る。かけられる圧力が強すぎると、組織は、例えば圧迫壊死といった医学的な合併症のリスクにさらされる。一つの実施例において、センサモジュール１０４は、過度な圧力がかけられることを妨げる設定点を持つクラッチを備える
【００５０】
図５は、誘導子５０２を含むセンサモジュール１０４の一例の斜視図を示す。一つの実施例において、センサモジュール１０４は、センサハウジング５０４、センサ５０６および誘導子５０２を含むことが可能である。誘導子５０２は、電力をセンサ５０６に無線で伝達するように、センサ５０６に電気的に結合されることが可能である。一つの実施例において、キャパシタは、センサ５０６に電力を無線で伝達するために使用されることが可能である。センサハウジング５０４はセンサ５０６およびセンサモジュール１０４内の誘導子５０２またはキャパシタの内の少なくとも１つを支持することが可能である。誘導子５０２は、誘導充電コイルを含むことが可能である。センサ５０６の１つの表面は、センサ−患者インターフェースとして構成される。
【００５１】
図６は、束縛特徴２０２Ｃおよび、補足的特徴２０４Ｃを含むセンサモジュール１０４を含む膜６０２の一例の斜視図を示す。膜６０２は、接触側６１２および反対側６１４を含む。接触側６１２は、身体１０６の組織表面６０４と整合するように構成されることが可能である。膜６０２は、図１から図５までに関連して上記されたように、少なくとも１つの束縛特徴２０２Ｃを含むことが可能である。図６に示されるように、膜６０２は開口６０８を含むことが可能である。センサモジュール１０４は、開口６０８を通して生理学的パラメータを測定することが可能である。膜は、膜６０２が組織表面６０４と整合することが可能であるように、膜６０２の屈曲を可能とするように構成される少なくとも１つのノッチ６１０を含むことが可能である。一つの実施例において、膜６０２は拡張スロットを含むことが可能である。例えば、膜６０２が拡張することが可能であるようにまたは組織表面６０４に合わせることが可能であるように、拡張スロットは伸ばされ開くことが可能である。図は、束縛特徴と、補足的特徴を持つかみ合いセンサモジュールを含む平坦で使い捨て可能な膜を示す。
【００５２】
一つの実施例において、膜６０２は、織布材料、不織布材料、発泡体、エラストマー、テキスタイル、その他の内の少なくとも１つをこれらに限定されることなく含む生体適合性材料を含むことが可能である。
【００５３】
センサモジュール１０４は、束縛特徴２０２Ｃとの間で結合および分離するように構成される少なくとも１つの補足的特徴２０４Ｃを含むことが可能である。補足的特徴２０４Ｃは、膜６０２との間でセンサモジュール１０４を結合および分離するように構成されることが可能であり、接着剤を単独で含むことが可能であり、あるいは、他の補足的特徴に加えて接着剤を含むことが可能である。
【００５４】
束縛特徴２０２Ｃおよび補足的特徴２０４Ｃは、膜６０２との固定整列線内にあるセンサモジュール１０４を保持するように構成されることが可能である。特徴２０４Ｃは、図示の例では、他の構造体との拘束関係のための二つのクリップを受けるように構成されることが可能である。例えば、センサモジュール１０４は、膜６０２が組織表面６０４に付着されたままでいる間に膜６０２から分離されることが可能である。膜６０２は、センサモジュール１０４が膜６０２に結合される前に組織表面６０４に適用されることが可能である。このことは、膜６０２が組織表面６０４に整合するような方法で膜６０２を組織表面６０４に結合するという利点を提供する。膜６０２は、組織表面６０４と膜６０２との間の整合性の度合いの結果、センサモジュール１０４と組織表面６０４との間のより強い圧力でセンサモジュール１０４を身体１０６に結合することが可能である。センサモジュールセンサモジュール１０４と組織表面６０４との間の増加した圧力は（例えば生理学的パラメータ測定の改善された精度といった）改善されたセンサ接触を提供することが可能である。膜６０２は、組織表面６０４にて皮膚との整合性を可能とする織物、布地またはエラストマー材料のパッドを含むことが可能である。膜６０２は、接着剤を用いて皮膚（組織）に接着されることが可能である。
【００５５】
図７は、センサモジュール１０４を受けるように構成される固定壁７０４を有するポケット７０２を含む膜６０２の一例の斜視図を示す。膜６０２は、開口６０８（図６）および開口６０８と整列されるポケット７０２を含むことが可能である。ポケット７０２は、開口６０８を通してセンサモジュール１０４を受けるように構成される。複数の可撓性チャネル、垂直支持リブ、およびセンサモジュールを受けるように構成される固定壁を有するポケットを含む、形成され、使い捨て可能な膜の一例を、図は示す。
【００５６】
接触側６１２は、接着剤コーティングを受けるように構成されることが可能である。接着剤コーティングは、膜６０２を組織表面６０４に接着することが可能である。一つの実施例において、センサモジュール１０４は、開口６０８内でかつポケット７０２と組織表面６０４との間で、保持されることが可能である。
【００５７】
図７に示されるように、膜６０２は、反対側６１４とポケット７０２との間で位置づけられる少なくとも１つの支持リブ７０６を含むことが可能である。ポケット７０２の剛性を増加させることでポケット７０２と組織表面６０４との間でのセンサモジュール１０４にかけられる圧力を増加させるように、支持リブ７０６はポケットに構造強度を提供する。換言すれば、支持リブ７０６は、（例えば接着在を介して）組織表面６０４からの力をセンサポケット７０２に伝えるように構成される。一つの実施例において、支持リブ７０６は、センサモジュール１０４とポケット７０２との間の（例えば接触側６１２の接着剤に加えられる圧力といった）圧力から生じる組織表面６０４の伸張を減少させることが可能である。
【００５８】
図７に示される例において、膜６０２はセンサモジュール１０４に取って代わるために組織表面６０４から分離されることが可能である。組織表面６０４から接触表面６１２を分離することは、接触側６１２と組織表面６０４との間の接着剤を剥離することを含むことが可能である。
【００５９】
図８は、（例えば、すでに図３に示され本書類で記載されている弾性クリップ３０４といった）ユーザ操作可能ドア８０６を含む膜６０２の一例の斜視図を示す。ドア８０６は保持器と呼ばれることが可能である。膜はブラケット８０２を含むことが可能である。図８に示されるように、ブラケット８０２は固定壁８０４を含むことが可能である。固定壁８０４は、膜６０２に沿ってセンサモジュール１０４の位置を維持することが可能である。一つの実施例において、ブラケット８０２および膜６０２は単一の構成要素として形成されることが可能である。膜６０２は、反対側６１４と固定壁８０４との間で位置づけられる少なくとも１つの支持リブ７０６を含むことが可能である。図は、ユーザ操作可能なクリップを含む、形成され、使い捨て可能で「トップローディングな」膜の一例を示す。
【００６０】
既述の通り、図８に示される例は操作可能ドア８０６を含む。操作可能ドア８０６は、弾性要素、（例えば弾性クリップ３０４といった）弾性クリップ、ユーザ操作可能なクリップ、その他をこれらに限定されることなく含むことが可能である。操作可能ドア８０６の第一の端部は、ヒンジを用いてブラケット８０２に結合されることが可能である。操作可能ドア８０６の第二の端部は、ブラケット８０２に含まれる受け入れ要素と拘束関係になるように構成されるラッチを含む。一つの実施例において、ラッチはブラケット８０２に含まれることが可能であり、受け入れ要素は操作可能ドア８０６の第二の端部に置かれることが可能である。操作可能ドア８０６は、操作可能ドア８０６と組織表面６０４との間にセンサモジュール１０４を保持するように構成されることが可能である。操作可能ドア８０６の１つの利点は、ユーザが、接触表面６１２と組織表面６０４との間にある接着剤を剥離することなくセンサモジュール１０４を膜６０２から分離することが可能であるということである。
【００６１】
図９は、膜６０２の接触側６１２に第一のポートを有しかつ反対側６１４に第二のポートを持つ複数のチャネル９０２を含む膜６０２の一例の斜視図を示す。一つの実施例において、チャネル９０２は、反対側６１４から接触側６１２に接着剤溶剤を伝達するように構成される。接触側６１２と組織表面６０４との間の接着剤を剥離することは、接着剤溶剤の反対側６１４への適用およびチャネル９０２を介した接着剤溶剤の伝達によって達成されることが可能である。例えば、膜は、例えば膜６０２が接着剤溶剤で飽和しそれによって接触表面６１２の全体にわたって接着剤を剥離するといったように、接着剤溶剤を吸収するように構成される。接着剤は、膜６０２を組織表面６０４に結合しセンサモジュールと膜との間の圧力が加えられたときに結合を維持するのに十分な引き剥がし強度を持ち、かつ生体適合性接着剤溶剤を用いて簡単に除去されることが可能な、生体適合性接着剤を含むことが可能である。一つの実施例において、膜６０２は、多孔性基材、、不織布繊維または他の材料から作られることが可能である。一つの実施例において、チャネル９０２は、膜６０２に含まれる孔から形成されることが可能である。図は、膜の接触側の第一のポートを有しかつ反対側に第二のポートを持つ、複数の可撓性チャネルおよび垂直支持リブを含む膜の一例を示す。
【００６２】
図１０は、溶剤容器１００２および取り外し可能な障壁１００４を含む膜６０２の横断面を示す。膜６０２は、少なくとも、基材層１００６、第一の接着剤層１００８、裏地１０１０、（例えば溶剤層といった）溶剤容器１００２、障壁１００４、および、膜６０２を組織表面６０４に結合する第二の接着剤層１０１２を含む接触側６１２を含むことが可能である。基材層１００６は、発泡体層を含むことが可能である。
【００６３】
溶剤容器１００２は膜６０２に結合されることが可能であり、溶剤容器１００２は接触側６１２に流体的に結合されることが可能である。図１０に示されるように、障壁１００４は、溶剤容器１００２と接触側６１２との間に含まれることが可能である。障壁１００４は、第二の接着剤層１０１２から接着剤溶剤を隔離することが可能である。一つの実施例において、例えば接着剤溶剤が第二の接着剤層１０１２に露出され、第二の接着剤層１０１２を分解することによって溶剤が膜６０２を組織表面６０４から剥離することが可能であるように、障壁１００４はユーザによって取り外し可能である。第二の接着剤層１０１２を剥離することは、身体１０６から膜６０２を取り去ることの結果として生じる組織表面６０４への痛みまたは負傷を避けることが可能である。一つの実施例において、溶剤容器１００２は触媒を含む。
【００６４】
図１１は方法１１００を示す。１１０２にて、方法１１００は、衣類１０２を提供することを含む。一つの実施例において、衣類１０２は、例えば、帽子、袖、ヘッドバンド、アームバンド、レッグバンドまたはその他といったように、身体１０６の特定の箇所のために構成されることが可能である。衣類１０２の材料は、綿、任意の織布または不織布、ポリアミド、ポリエステル、他のポリマーまたはその他を、これらに限定されることなく含むことが可能である。材料は、ストラップ、バンド、織布、ウェビング、メリヤス生地、その他に形成されることが可能である。
【００６５】
１１０４にて、センサモジュール１０４は衣類１０２に結合されることが可能である。センサモジュール１０４は、束縛特徴２０２（例えば２０２Ａ−Ｃ）を用いて補足的特徴２０４（例えば２０４Ａ−Ｃ）を結合することによって衣類１０２に付着されることが可能である。センサモジュール１０４は、（図１２に示され本書類に記載されるように）センサ５０６、ハウジング５０４、組織パッド、衣類パッド、フィルター、バッテリーおよびノードを含むことが可能である。
【００６６】
１１０６にて、センサモジュール１０４からの電気出力は、例えばデータ端末に受信されるように、収集される（例えばコンピュータ装置に保存される）ことが可能である。センサモジュール１０４は電気出力を提供するように構成されることが可能である。出力は、信号、無線信号、非一時的でコンピュータ読み取り可能なメディアに保存されるデータ、その他を含むことが可能である。一つの実施例において、出力は、身体１０６と関連付けられる生理学的パラメータの測定を含む。一つの実施例において、センサはＰＰＧセンサである。一つの実施例において、センサモジュール１０４は、束縛特徴２０４Ａまたは衣類１０２に含まれる部位情報を読み取ることが可能であり、かつ、電気出力における部位情報を含むことが可能である。
【００６７】
１１０８にて、方法１１００は、センサモジュール１０４を衣類１０２から分離することを含むことが可能である。例えば、センサモジュール１０４の補足的特徴２０４（例えば２０４ＡからＣ）は、衣類１０２の束縛特徴２０２（例えば２０２ＡからＤ）から分離されることが可能である。
【００６８】
一つの実施例において、センサモジュール１０４は、膜６０２と身体１０６との間の結合を妨げることなく、衣類１０２との間で結合または分離されることが可能である。
【００６９】
図１２は、センサモジュール１０４の斜視図を示す。既述の通り、センサモジュール１０４は、センサ５０６、ハウジング５０４、組織パッド１２０２、（図１３に示され本書類に記載されるように）フィルター、バッテリー５０８、および（既述の通り）ノード含むことが可能である。ハウジング５０４は、センサモジュール１０４内に上記の要素を保持する。一つの実施例において、ハウジング５０４は、センサモジュール１０４が組織表面６０４に整合することが可能であるように、可撓性材料を含むことが可能である。組織パッド１２０２は、センサ５０６と組織表面６０４との間に位置づけられることが可能である。一つの実施例において、（例えば、衣類１０４によってセンサモジュール１０４と組織表面６０４との間に加えられるような）組織表面６０４に沿った均一な圧力を提供するように、組織パッド１２０２は組織表面６０４に整合する。組織パッド１２０２は、センサによる身体１０６の生理学的パラメータの測定を可能とするセンサ開口を含むことが可能である。組織表面６０４に均一の圧力をかけることは、生理学的パラメータの測定の精度を高める。一つの実施例において、センサモジュール１０４は再利用可能である。
【００７０】
組織パッド１２０２の材料は、発泡弾性体、ゲル、空気枕、液体枕、その他を、これらに限定されることなく含むことが可能である。センサ５０６の表面は、周辺光が生理学的パラメータの測定を妨害することを防ぐために光学的に不透明な材料であることが可能である。組織パッド１２０２はバネを含むことが可能である。一つの実施例において、例えば組織パッド１２０２の機能を代替するといったように、自動調整型発光ダイオード、フォトダイオードまたはセンサの内の少なくとも１つまたはそれより多くが組織パッド１２０２にとって代わることが可能である。
【００７１】
図１３は、センサモジュール１０４に含まれる光学フィルター１３０２の一例の概略図を示す。光学フィルター１３０２は、センサ５０６と組織表面６０４との間でセンサモジュール１０４に結合されることが可能である。いくつかの例において、光学フィルター１３０２は、センサ５０６が受ける光ノイズの量を低減し、これによって生理学的パラメータの測定を向上させることが可能である。一つの実施例において、光ノイズを低減するために、光学フィルター１３０２は（例えば琥珀色のポリイミドといった）ポリイミドの層を含むことが可能である。フィルター１３０２は、一つの実施例において、例えばカプトンといったフレキシブル回路材料を含む。図は、発光体（矢印は組織に入射する光を示す）および光検出器（矢印は組織を出る光を示す）の横断面図を示す。
【００７２】
図１４は、一例に従う、フィラーを持つ装置１４００の断面図を示す。この例において、装置１４００は組織１４５０上の部位にはられた状態で示されている。装置１４００は、接着剤、（例えばシャツといった）衣類、ベルト、ラップ、パッチまたは他の機構によって組織１４５０に付着される付着機構１４１０を含む。
【００７３】
付着機構１４１０は、組織１４５０と光学要素１４４０との間に圧縮力を加えるように構成される。光学要素１４４０は、（例えばＬＥＤといった）光源および（例えばフォトディテクタといった）光検出器の任意の組み合わせを含むことが可能である。光学要素１４４０は、（ここでは、組織１４５０と、同一平面をなしかつ接触している）感知表面および（ここではフィラー１４３０と接触している）非感知表面を示す。
【００７４】
フィラー１４３０は、成形可能でコンパクトであり得る弾性材料を含むことが可能である。一つの実施例において、フィラー１４３０は、（圧力下で圧縮可能であり圧力が除去されると拡張する）弾力性発泡体を含む。
【００７５】
光学要素１４４０は、伝導体１４６０によって電子部品１４２０に電気的に結合される。電子部品１４２０は、デジタルのまたはアナログの回路を持つモジュールを含むことが可能である。種々の実施例において、電子部品１４２０は、増幅器、フィルター、信号整形回路、プロセッサ、電源、または他の要素を含むことが可能である。
【００７６】
伝導体１４６０は、フィラー１４３０を介して通電する可撓電気接続を含むことが可能である。一つの実施例において、伝導体１４６０は、張力緩和特徴（例えば、両端で間にたるみをもって付着されるケブラーストランドで編まれる、必要より長い伝導体）を持つ可撓性伝導体を含む。
【００７７】
フィラー１４３０は、光学要素に圧縮力（圧力）を加えるように構成され、かつ、光学要素１４４０とユーザの皮膚との間で直接の結合を確実なものとするように構成される。
【００７８】
一つの実施例において、付着機構１４１０は、埋め込み型伝導体を持つ弾性力発泡体を含む。付着機構の材料の例は、ライクラおよびゴムを含むことが可能である。
【００７９】
記載されたように、装置１４００は、光学要素１４４０が皮膚（組織１４５０）との関係において実質的に適所に保たれることを確実なものとするように構成される。付着機構１４１０とフィラー１４３０の組み合わせによってかけられる圧力は、表面間の良好な接触を確実なものとする。例えば、いくつかの特定の身体領域は、相当に圧縮可能な組織（上側の胸部およびふくらはぎ領域はいくつかの例である）を持ち、それらの身体領域に位置づけられるとき、装置は良好な接続性を安定して提供するように構成される。
【００８０】
一つの実施例において、フィルターは、皮膚に光学要素１４４０を結合するための圧力よりも強い圧力をかける。この追加的な圧力は、毛細血管壁に渡ってみられるような経壁的な圧力を減少させ、このことは毛細血管の弾性を相応に増加させ、これがＳＮ比の向上と共により大きいＰＰＧ信号振幅を最終的にもたらす。
【００８１】
一つの実施例において、装置１４００は補助センサを含む。補助センサは、電子部品１４２０、光学要素１４４０または他の構成要素であることが可能である。補助センサは、加速度計またはジャイロセンサを含むことが可能である。補助センサからの出力信号は、アーティファクト補正のために使用されることが可能である。例えば、出力信号は、モーションアーティファクトを相殺するために使用されることが可能である。出力信号は、光学信号の受信と同時に、その直前または後にモニタされることが可能である。一つの実施例において、補助センサ信号は、校正機能のための情報（かけられる圧力、身体位置）を提供するように構成されることが可能である。
【００８２】
種々の注釈および実施例
これらの非限定的な実施例の各々は、それ自体で成立することが可能であり、あるいは、１つまたはそれより多くの他の実施例との種々の置換または組み合わせにおいて組み合わされることが可能である。
【００８３】
上記の詳細な説明は、詳細な説明の一部をなす添付の図面への参照を含む。図面は、発明が実施されることの可能な特定の実施形態を、説明のために示す。これらの実施形態は、本書類では「実施例」（あるいは「例」）とも呼ばれる。そのような実施例は、図示または記載される要素に加えて要素を含むことが可能である。しかし、本発明者は、それら図示または記載される要素のみが提供される実施例も考慮する。さらに、特定の実施例（またはその１つまたはそれより多くの態様）に関するものであれ本書類に図示または記載される他の実施例（またはその１つまたはそれより多くの態様）に関するものであれ、それら図示または記載される要素（またはそれらの１つまたはそれより多くの態様）の任意の組み合わせまたは置換を使用する実施例も本発明者は考慮する。
【００８４】
この書類と、参照によって組み込まれる任意の書類との間で矛盾する用法の場合、この書類における用法に従う。
【００８５】
この書類において、語句「ａ」あるいは、「ａｎ」は、特許書類において一般的であるように、「ａｔ  ｌｅａｔ  ｏｎｅ」または「ｏｎｅ  ｏｒ  ｍｏｒｅ」のいかなる他の例または用法からも独立に、「ｏｎｅ  ｏｒ  ｍｏｒｅ  ｔｈａｎ  ｏｎｅ」を含むように使用される。この書類において、語句「ｏｒ」は、非排他性を参照するように、すなわち「Ａ  ｏｒ  Ｂ」が「Ａ  ｂｕｔ  ｎｏｔ  Ｂ」、「Ｂ  ｂｕｔ  ｎｏｔ  Ａ」および「Ａ  ａｎｄ  Ｂ」を他に示されない限り含むように、使用されている。この書類において、語句「ｉｎｃｌｕｄｉｎｇ」および「ｉｎ  ｗｈｉｃｈ」は、それぞれの語句「ｃｏｍｐｒｉｓｉｎｇ」および「ｗｈｅｒｅｉｎ」の一般的な英語の同等語として使用されている。また、以下の請求項において、語句「ｉｎｃｌｕｄｉｎｇ」および「ｃｏｍｐｒｉｓｉｎｇ」は、オープンなものであり、つまり、請求項において、そのような語句の後に羅列された要素に追加した要素を含む、システム、装置、物品、化合物、製法、あるいは、処理が依然としてその請求項の範囲に入ると考えられる。さらに、以下の請求項において、語句「ｆｉｒｓｔ」、「ｓｅｃｏｎｄ」、および「ｔｈｉｒｄ」等は、単なるラベルとして使用され、それらの物に、数字的要求を課すことを意図していない。
【００８６】
本書類に記載された方法の実施例は、少なくとも部分的に、マシン実装あるいはコンピュータ実装されることが可能である。。いくつかの実施例は、電子デバイスを、上記実施例において記述した方法を実行するように構成するように動作可能な命令が符号化された、コンピュータ読取り可能な媒体あるいはマシン読取り可能な媒体を含むことが可能である。そのような方法の実装は、マイクロコード、アセンブリ言語コード、高級言語コード等のコードを含むことが出来る。そのようなコードは、種々の方法を実行するためのコンピュータ読取り可能な命令を含むことが出来る。コードは、コンピュータプログラム製品の一部を形成することが出来る。さらに、実施例では、コードは、実行中あるいは他のとき等に、１つまたはそれより多くの揮発性有形コンピュータ読取り可能な媒体、非一時的有形コンピュータ読取り可能な媒体、あるいは不揮発性有形コンピュータ読取り可能な媒体に有形に保存されることが可能である。それらの有形なコンピュータ読取り可能な媒体の例は、ハードディスク、着脱可能な磁気ディスク、（例えば、コンパクトディスクおよびデジタルビデオディスクといった）着脱可能な光ディスク、磁気カセット、メモリカードあるいはメモリスティック、ランダムアクセスメモリ（ＲＡＭ）、リードオンリーメモリ（ＲＯＭ）等を、これらに限定されることなく、含むことが可能である。
【００８７】
上記記載は、例示的であることを意図しており、限定的なことを意図していない。例えば、上記実施例（あるいは、１つまたはそれより多くのそれらの態様）は、相互に組み合わせて使用され得る。他の実施形態は、上記記述を吟味するとき、当業者によるなどにより、使用されることが可能である。要約書は、読者が迅速に、技術開示の性質を確かめることが出来るように、提供される。それは、請求項の範囲あるいは意味を解釈し、あるいは、限定するために用いられることはないものである、という理解と共に提出される。また、上記詳細な説明において、種々の特徴が、開示を効率的にするために、グループ化され得る。これは、請求されておらず開示された特徴が任意の請求項に不可欠であることを意図するというようには解釈されるべきではない。むしろ、発明の主題は、特定の開示された実施形態のすべての特徴よりも少ないもののうちに存在し得る。従って、各請求項はそれ自体で、別個の実施形態として成立し、以下の請求項は、実施例あるいは実施形態として、詳細な説明にここに組み込まれ、そのような実施形態は、種々の組み合わせまたは置換において、相互に組み合わせられることがことが可能であることが考えられる。発明の範囲は、請求項が与えられる均等物の全範囲と共に、添付の請求項を参照して決定されるべきである。
【図１】
2017529133.tif 000003
【図２】
2017529133.tif 000004
【図３】
2017529133.tif 000005
【図４】
2017529133.tif 000006
【図５】
2017529133.tif 000007
【図６】
2017529133.tif 000008
【図７】
2017529133.tif 000009
【図８】
2017529133.tif 000010
【図９】
2017529133.tif 000011
【図１０】
2017529133.tif 000012
【図１１】
2017529133.tif 000013
【図１２】
2017529133.tif 000014
【図１３】
2017529133.tif 000015
【図１４】
2017529133.tif 000016
【国際調査報告】
2017529133.tif 000017
2017529133.tif 000018
2017529133.tif 000019